(57)【要約】【課題】エアギャップ内への水分や絶縁材料の侵入を防ぎ、動作信頼性の劣化や電気容量の増加を抑えることのできる半導体装置の製造方法を提供する。【解決手段】本発明の実施の形態による半導体装置の製造方法は、半導体素子を有する半導体基板上に、内部に配線が設けられた層間犠牲膜、および前記層間犠牲膜上に位置する絶縁膜を形成する工程と、前記絶縁膜および前記層間犠牲膜にエッチングを施し、前記層間犠牲膜に達する溝を形成する工程と、前記溝内にガス透過性膜を形成する工程と、前記層間犠牲膜をガス化させ、前記溝および前記ガス透過性膜を通して除去する工程と、前記層間犠牲膜を除去した後、前記ガス透過性膜上に、前記溝の開口部近傍を封止する封止膜を形成する工程と、を含む。【選択図】図１Ｂ
2010062242.tif 000002
【特許請求の範囲】
【請求項１】
半導体素子を有する半導体基板上に、内部に配線が設けられた層間犠牲膜、および前記層間犠牲膜上に位置する絶縁膜を形成する工程と、
前記絶縁膜および前記層間犠牲膜にエッチングを施し、前記層間犠牲膜に達する溝を形成する工程と、
前記溝内にガス透過性膜を形成する工程と、
前記層間犠牲膜をガス化させ、前記溝および前記ガス透過性膜を通して除去する工程と、
前記層間犠牲膜を除去した後、前記ガス透過性膜上に、前記溝の開口部近傍を封止する封止膜を形成する工程と、
を含む半導体装置の製造方法。
【請求項２】
前記溝内に犠牲膜を形成した後、前記ガス透過性膜を前記溝内の前記犠牲膜上に積層形成し、
前記犠牲膜をガス化させ、前記溝および前記ガス透過性膜を通して除去した後、前記層間犠牲膜をガス化させ、前記溝および前記ガス透過性膜を通して除去する、
請求項１に記載の半導体装置の製造方法。
【請求項３】
前記ガス透過性膜を内部に空隙を含むように形成する、
請求項１に記載の半導体装置の製造方法。
【請求項４】
前記層間犠牲膜をケミカルドライエッチング、または熱分解法によりガス化する、
請求項１〜３のいずれか１つに記載の半導体装置の製造方法。
【請求項５】
前記犠牲膜をケミカルドライエッチング、紫外線照射、または熱分解法によりガス化する、
請求項２に記載の半導体装置の製造方法。
【発明の詳細な説明】
【技術分野】
【０００１】
本発明は、半導体装置の製造方法に関する。
【背景技術】
【０００２】
近年の半導体装置の微細化に伴い、配線層の配線間容量、特に同層の配線間容量が増大する傾向にある。配線間容量が増加すると、回路の寄生的な容量が増加するため、半導体装置の動作速度の低下に繋がる。この配線間容量を低減するために、配線間にエアギャップを設けた中空配線構造を有する半導体装置が知られている。
【０００３】
中空配線構造を形成する方法として、内部に配線が形成された層間絶縁膜上に形成された絶縁膜に開孔を設け、そこからガス化させた配線層間膜を排出除去することでエアギャップを形成した後、開孔に絶縁膜を堆積させて封止する方法が提案されている（例えば、特許文献１参照）。
【０００４】
特許文献１等に記載の方法によれば、絶縁膜によりエアギャップを封止することにより、エアギャップ内への水分や上層の絶縁部材の材料の侵入を防ぎ、半導体装置の動作信頼性の劣化や電気容量の増加を抑えることができる。しかし、実際には、絶縁膜の埋め込み性等の問題により、開孔を完全に塞ぐことができずに水分や絶縁材料の侵入を許したり、絶縁膜自体がエアギャップ内に侵入したりするおそれがある。
【０００５】
また、特許文献１等に記載されているように、開孔を塞ぎやすくするために、開孔の側面に絶縁膜側壁を形成する等の方法により開孔の幅を狭めた場合、開孔の幅が狭いために、配線層間膜の除去、すなわちエアギャップの形成が困難になるおそれがある。
【特許文献１】特開平５−２１６１７号公報
【発明の開示】
【発明が解決しようとする課題】
【０００６】
本発明の目的は、エアギャップ内への水分や絶縁材料の侵入を防ぎ、動作信頼性の劣化や電気容量の増加を抑えることのできる半導体装置の製造方法を提供することにある。
【課題を解決するための手段】
【０００７】
本発明の一態様は、半導体素子を有する半導体基板上に、内部に配線が設けられた層間犠牲膜、および前記層間犠牲膜上に位置する絶縁膜を形成する工程と、前記絶縁膜および前記層間犠牲膜にエッチングを施し、前記層間犠牲膜に達する溝を形成する工程と、前記溝内にガス透過性膜を形成する工程と、前記層間犠牲膜をガス化させ、前記溝および前記ガス透過性膜を通して除去する工程と、前記層間犠牲膜を除去した後、前記ガス透過性膜上に、前記溝の開口部近傍を封止する封止膜を形成する工程と、を含む半導体装置の製造方法を提供する。
【発明の効果】
【０００８】
本発明によれば、エアギャップ内への水分や絶縁材料の侵入を防ぎ、動作信頼性の劣化や電気容量の増加を抑えることのできる半導体装置の製造方法を提供することができる。
【発明を実施するための最良の形態】
【０００９】
〔第１の実施の形態〕
図１Ａ（ａ）〜（ｃ）、図１Ｂ（ｄ）、（ｅ）は、本発明の第１の実施の形態に係る半導体装置の製造方法を表す断面図である。
【００１０】
まず、図１Ａ（ａ）に示すように、図示しない半導体素子を有する半導体基板上に、以下の順序で下から積層された層間絶縁膜１ａ、層間犠牲膜２ａ、キャップ絶縁膜３ａ、拡散防止絶縁膜４ａ、層間絶縁膜１ｂ、層間犠牲膜２ｂ、キャップ絶縁膜３ｂ、拡散防止絶縁膜４ｂ、およびこれらの絶縁膜の中に形成された配線５ａ、５ｂ、およびビア６を用意する。
【００１１】
ここで、層間絶縁膜１ａ、１ｂは、例えば、ＳｉＯＣＨ等の低誘電率特性を有する絶縁材料からなり、ＰＥ−ＣＶＤ（Plasma Enhanced-Chemical vapor Deposition）法や塗布法等を用いて形成される。
【００１２】
層間犠牲膜２ａ、２ｂは、例えば、酸素イオンや酸素ラジカルと反応してＣＯ２を形成することにより化学的にガス化するハイドロカーボン等の有機材料や、熱エネルギーを与えられて熱分解することにより熱的にガス化するハイドロカーボン等の有機材料からなり、ＰＥ−ＣＶＤ法や塗布法等を用いて形成される。
【００１３】
キャップ絶縁膜３ａ、３ｂは、ＳｉＯ２、ＳｉＯＣＨ等の絶縁材料からなり、ＰＥ−ＣＶＤ法や塗布法等を用いて形成される。また、キャップ絶縁膜３ａ、３ｂは、配線溝やビアホールの加工性を向上させる機能や、構造体の強度を向上させる機能を有する。なお、キャップ絶縁膜３ａ、３ｂは、形成されなくてもよい。
【００１４】
拡散防止絶縁膜４ａ、４ｂは、ＳｉＮ、ＳｉＣＮ、ＳｉＣ等の絶縁材料からなり、ＰＥ−ＣＶＤ法等を用いて形成される。また、拡散防止絶縁膜４ａ、４ｂは、配線５ａ、５ｂ、およびビア６に含まれる金属の拡散を防ぐ機能を有する。
【００１５】
配線５ａ、５ｂ、およびビア６は、Ｃｕ等の導電材料により形成される。また、配線５ａ、５ｂ、およびビア６の表面には、配線５ａ、５ｂ、およびビア６に含まれる金属の拡散を防ぐ拡散防止金属膜７ａ、７ｂが形成される。拡散防止金属膜７ａ、７ｂは、Ｔａ、ＴａＮ、Ｔｉ、ＴｉＮ等の金属材料からなる。
【００１６】
配線５ａおよび拡散防止金属膜７ａは、例えば、以下の工程により形成される。まず、リソグラフィ法およびＲＩＥ（Reactive Ion Etching）法により、キャップ絶縁膜３ａおよび層間犠牲膜２ａ内に配線溝を形成する。次に、ＰＶＤ（Physical Vapor Deposition）法やめっき法等により、配線溝内に配線５ａおよび拡散防止金属膜７ａの材料膜を埋め込む。次に、ＣＭＰ（Chemical Mechanical Polishing）法等の平坦化処理により、配線５ａおよび拡散防止金属膜７ａの材料膜の配線溝の外側の部分を除去し、配線５ａおよび拡散防止金属膜７ａに加工する。
【００１７】
配線５ｂ、ビア６、および拡散防止金属膜７ｂは、例えば、以下の工程により形成される。まず、リソグラフィ法およびＲＩＥ法により、キャップ絶縁膜３ｂ、および層間犠牲膜２ｂ内に配線溝を形成し、層間絶縁膜１ｂおよび拡散防止絶縁膜４ａ内にビアホールを形成する。次に、ＰＶＤ法やめっき法等により、配線溝およびビアホール内に配線５ｂおよび拡散防止金属膜７ｂの材料膜を埋め込む。次に、ＣＭＰ法等の平坦化処理により、配線５ｂおよび拡散防止金属膜７ｂの材料膜の配線溝およびビアホールの外側の部分を除去し、配線５ｂ、ビア６、および拡散防止金属膜７ｂに加工する。
【００１８】
次に、図１Ａ（ｂ）に示すように、拡散防止絶縁膜４ｂ、キャップ絶縁膜３ｂ、層間犠牲膜２ｂ、層間絶縁膜１ｂ、拡散防止絶縁膜４ａ、キャップ絶縁膜３ａ、および層間犠牲膜２ａを貫通し、層間絶縁膜１ａに達する溝８を形成する。溝８は、例えば、リソグラフィ法とＲＩＥ等の異方性エッチングにより形成される。
【００１９】
なお、層間犠牲膜２ａ、２ｂを除去するためには、溝８は少なくとも層間犠牲膜２ａに達していればよい。また、効率よく層間犠牲膜２ａ、２ｂを除去するために、複数の溝８を形成してもよい。
【００２０】
次に、図１Ａ（ｃ）に示すように、溝８内にガス透過性膜９を形成する。ガス透過性膜９は、ＳｉＯ２、ＳｉＯＣ、ＳｉＣ、有機材料等からなる多孔質膜であり、例えば、以下の工程により形成される。
【００２１】
まず、ＰＥ−ＣＶＤ法や塗布法等により、溝８内にガス透過性膜９の材料膜を埋め込む。次に、ＲＩＥ法、ＣＤＥ（Chemical Dry Etching）法、ウェットエッチング法等により、埋め込んだガス透過性膜９の材料膜の溝８の外側の部分を除去し、さらに、溝８内における上面の高さを下げ、ガス透過性膜９に加工する。
【００２２】
このとき、ガス透過性膜９は、上面の高さがキャップ絶縁膜３ｂの底面の高さと同じか、より高くなるように形成されることが好ましい。これは、後述する封止膜１１を形成する工程において、後述するエアギャップ１０ａ、１０ｂ内への封止膜１１の侵入をほぼ完全に防ぐためである。
【００２３】
さらに、ガス透過性膜９は、上面の高さが拡散防止絶縁膜４ｂの上面よりも低くなるように形成されることが好ましい。これは、後述する封止膜１１を溝８内に形成するためである。
【００２４】
次に、図１Ｂ（ｄ）に示すように、層間犠牲膜２ａ、２ｂをガス化させて溝８およびガス透過性膜９を通して除去し、エアギャップ１０ａ、１０ｂを形成する。ガス透過性膜９は、ガス透過性を有するため、ガス化した層間犠牲膜２ａ、２ｂは、ガス透過性膜９内を通過することができる。ここで、層間犠牲膜２ａ、２ｂは、例えば、酸素イオンや酸素ラジカルをエッチャントとして用いた等方性のケミカルドライエッチング、熱分解法等により、化学的、または熱的にガス化する。
【００２５】
なお、エアギャップ１０ａ、１０ｂを形成した後も、ガス透過性膜９により、構造体の機械的強度を確保することができる。より高い機械的強度を確保するためには、溝８が層間絶縁膜１ａにまで達しており、ガス透過性膜９の底部が層間絶縁膜１ａに接していることが好ましい。
【００２６】
次に、図１Ｂ（ｅ）に示すように、溝８内のガス透過性膜９上に、溝８の開口部近傍を塞いでエアギャップ１０ａ、１０ｂを封止する封止膜１１を形成する。封止膜１１は、エアギャップ内への水分や上層の絶縁部材の材料の侵入を防ぐ機能を有する。
【００２７】
封止膜１１は、ＳｉＮ、ＳｉＣＮ、ＳｉＣ等の絶縁材料からなり、例えば、以下の工程により形成される。まず、ＰＥ−ＣＶＤ法や塗布法により、溝８内のガス透過性膜９上に封止膜１１の材料膜を埋め込む。次に、ＲＩＥ法、ＣＤＥ法、ウェットエッチング法、ＣＭＰ法等により、埋め込んだ封止膜１１の材料膜の溝８の外側の部分を除去し、封止膜１１に加工する。
【００２８】
また、封止膜１１は、配線５ａ、５ｂ、およびビア６に含まれる金属の拡散を防ぐ機能、および低誘電特性を有することが好ましく、拡散防止絶縁膜４ａ、４ｂと同じ材料から形成することができる。なお、封止膜１１を溝８外にも形成すると、上層配線層形成時に拡散防止絶縁膜４ｂとのエッチングレートの差異に起因してビアホール側壁に段差が生じてしまい、ひいては上層配線層を形成する材料膜の埋め込み不良による電気的特性の劣化を招く懸念があるため、溝８内にのみ形成されることが好ましいが、拡散防止絶縁膜４ａ、４ｂと同じ材料、または近い性質を有する材料から形成する場合は、溝８の外側の部分を除去しなくてもよい。
【００２９】
（第１の実施の形態の効果）
本発明の第１の実施の形態によれば、ガス透過性膜９を土台として封止膜１１を形成するため、溝８の開口部近傍をほぼ完全に塞ぎ、エアギャップ１０ａ、１０ｂを封止することができる。これにより、エアギャップ内への水分や上層の絶縁部材の材料の侵入を防ぎ、半導体装置の動作信頼性の劣化や電気容量の増加を抑えることができる。
【００３０】
また、ガス透過性膜９を土台として封止膜１１を形成するため、封止膜１１の材料膜のエアギャップ内への侵入を防ぎ、電気容量の増加を抑えることができる。
【００３１】
また、本実施の形態においては、２つの層に同時にエアギャップ１０ａ、１０ｂを形成するものとして説明を行ったが、溝８の深さ等を調節することにより、単層、または３層以上の複数層に同時にエアギャップを形成することができる。
【００３２】
また、エアギャップの形成されない配線の層があってもよい。例えば、層間犠牲膜２ｂの代わりに層間絶縁膜１ａ、１ｂと同一の材料からなる膜を形成すれば、配線５ｂの層にエアギャップが形成されない。
【００３３】
また、層間絶縁膜１ｂの代わりに層間犠牲膜２ａ、２ｂと同一の材料からなる膜を形成し、ビア６の層にもエアギャップを形成することができる。
【００３４】
〔第２の実施の形態〕
本発明の第２の実施の形態は、ガス透過性膜９の形状において第１の実施の形態と異なる。なお、第１の実施の形態と同様の点については説明を省略または簡略化する。
【００３５】
図２（ａ）〜（ｃ）は、本発明の第２の実施の形態に係る半導体装置の製造方法を示す断面図である。
【００３６】
まず、図１Ａ（ａ）、（ｂ）に示した溝８を形成するまでの工程を第１の実施の形態と同様に行う。
【００３７】
次に、図２（ａ）に示すように、溝８内にガス透過性膜９を形成する。ガス透過性膜９は、例えば、以下の工程により形成される。
【００３８】
まず、ＰＥ−ＣＶＤ法や塗布法等により、溝８内にガス透過性膜９の材料膜を堆積する。このとき、ガス透過性膜９内に空隙が形成されるように溝８の側面に沿ってガス透過性膜９の材料膜を堆積させる。次に、ＲＩＥ法、ＣＤＥ法、ウェットエッチング法等により、堆積させたガス透過性膜９の材料膜の溝８の外側の部分を除去し、さらに、溝８内における上面の高さを下げ、ガス透過性膜９に加工する。ガス透過性膜９は、内部に空隙を含むものの、溝８の開口部近傍を完全に塞がない場合でも、その開口径を狭めることができる。なお、ガス透過性膜９は、溝８の開口部近傍を完全に塞ぐ状態で加工されてもよい。
【００３９】
次に、図２（ｂ）に示すように、層間犠牲膜２ａ、２ｂをガス化させて溝８およびガス透過性膜９を通して除去し、エアギャップ１０ａ、１０ｂを形成する。このとき、ガス透過性膜９がガス透過性を有するため、ガス透過性膜９により狭められた溝８の開口部近傍の径の大きさに関わらず、ガス化した層間犠牲膜２ａ、２ｂを容易に外部に排出することができる。
【００４０】
次に、図２（ｃ）に示すように、溝８内の開口部近傍のガス透過性膜９上に封止膜１１を形成する。このとき、ガス透過性膜９を形成せずに封止膜１１を形成する場合と比較して、封止膜１１の材料が溝８の内部に落ちにくいため、より確実に溝８の開口部近傍をふさぐことができる。また、封止膜１１の材料が多少、開口部近傍を通じて内部に侵入したとしても、その侵入範囲をガス透過性膜９で側面が覆われた溝８内に限定的にとどめることができる。
【００４１】
（第２の実施の形態の効果）
本発明の第２の実施の形態によれば、ガス透過性膜９の材料や成膜方法の問題により、溝８内に隙間なくガス透過性膜９を埋め込むことができない場合であっても、第1の実施の形態と同様に、エアギャップ内への水分や上層の絶縁部材の材料の侵入を防ぎ、半導体装置の動作信頼性の劣化や電気容量の増加を抑えることができる。
【００４２】
また、第１の実施の形態と比較して、溝８内のガス透過性膜９の体積が小さいため、ガス化させた層間犠牲膜２ａ、２ｂの外部への排出がより容易になる。
【００４３】
〔第３の実施の形態〕
本発明の第３の実施の形態は、ガス透過性膜９の形成位置において第１の実施の形態と異なる。なお、第１の実施の形態と同様の点については説明を省略または簡略化する。
【００４４】
図３Ａ（ａ）〜（ｃ）、図３Ｂ（ｄ）、（ｅ）は、本発明の第３の実施の形態に係る半導体装置の製造方法を示す断面図である。
【００４５】
まず、図１Ａ（ａ）、（ｂ）に示した溝８を形成するまでの工程を第１の実施の形態と同様に行う。
【００４６】
次に、図３Ａ（ａ）に示すように、溝８内に犠牲膜１２を形成する。犠牲膜１２は、例えば、酸素イオンや酸素ラジカルと反応してＣＯ２を形成することにより化学的にガス化するハイドロカーボン等の有機材料、熱エネルギーを与えられて熱分解することにより熱的にガス化するハイドロカーボン等の有機材料、紫外線を照射することによりガス化するハイドロカーボン等の有機材料等からなり、例えば、以下の工程により形成される。
【００４７】
まず、ＰＥ−ＣＶＤ法や塗布法等により、溝８内に犠牲膜１２の材料膜を埋め込む。次に、ＲＩＥ法、ＣＤＥ法、ウェットエッチング法等により、埋め込んだ犠牲膜１２の材料膜の溝８の外側の部分を除去し、さらに、溝８内における上面の高さを下げ、犠牲膜１２に加工する。
【００４８】
このとき、犠牲膜１２は、上面の高さがキャップ絶縁膜３ｂの底面の高さと同じか、より高くなるように形成されることが好ましい。これは、後述するガス透過性膜９をキャップ絶縁膜３ｂおよび拡散防止絶縁膜４ｂの少なくともいずれか一方に接するように形成し、後述するエアギャップ１０ａ、１０ｂを形成する際にガス透過性膜９が落下することを防ぐためである。
【００４９】
さらに、犠牲膜１２は、上面の高さが拡散防止絶縁膜４ｂの上面の高さよりも低くなるように形成されることが好ましい。これは、後述するガス透過性膜９および封止膜１１を溝８内に形成するためである。
【００５０】
次に、図３Ａ（ｂ）に示すように、溝８内の犠牲膜１２上に、ガス透過性膜９を積層形成する。ガス透過性膜９は、例えば、以下の工程により形成される。
【００５１】
まず、ＰＥ−ＣＶＤ法や塗布法等により、溝８内の犠牲膜１２上にガス透過性膜９の材料膜を埋め込む。次に、ＲＩＥ法、ＣＤＥ法、ウェットエッチング法等により、埋め込んだガス透過性膜９の材料膜の溝８の外側の部分を除去し、さらに、溝８内における上面の高さを下げ、ガス透過性膜９に加工する。
【００５２】
このとき、ガス透過性膜９の厚さは、後述する封止膜１１の材料がガス透過性膜９を透過して多量に侵入することを抑制する観点から、５ｎｍ以上であることが好ましい。また、後述する封止膜１１を溝８内に形成するため、ガス透過性膜９は、上面の高さが拡散防止絶縁膜４ｂの上面の高さよりも低くなるように形成されることが好ましい。
【００５３】
次に、図３Ａ（ｃ）に示すように、犠牲膜１２をガス化させて溝８およびガス透過性膜９を通して除去する。ガス透過性膜９は、ガス透過性を有するため、ガス化した犠牲膜１２は、ガス透過性膜９内を通過することができる。ここで、犠牲膜１２は、例えば、酸素イオンや酸素ラジカルをエッチャントとして用いた等方性のケミカルドライエッチング、紫外線の照射、熱分解法等により、化学的、または熱的にガス化する。
【００５４】
次に、図３Ｂ（ｄ）に示すように、層間犠牲膜２ａ、２ｂをガス化させて溝８およびガス透過性膜９を通して除去し、エアギャップ１０ａ、１０ｂを形成する。ガス透過性膜９は、ガス透過性を有するため、ガス化した層間犠牲膜２ａ、２ｂは、ガス透過性膜９内を通過することができる。ここで、層間犠牲膜２ａ、２ｂは、例えば、酸素イオンや酸素ラジカルをエッチャントとして用いた等方性のケミカルドライエッチング、熱分解法等により、化学的、または熱的にガス化する。
【００５５】
なお、犠牲膜１２および層間犠牲膜２ａ、２ｂを同一の処理によりガス化する場合は、犠牲膜１２および層間犠牲膜２ａ、２ｂの除去を１つの工程で行うことができる。
【００５６】
次に、図３Ｂ（ｅ）に示すように、溝８内のガス透過性膜９上に封止膜１１を形成する。封止膜１１は、例えば、以下の工程により形成される。まず、ＰＥ−ＣＶＤ法や塗布法により、溝８内のガス透過性膜９上に封止膜１１の材料膜を埋め込む。次に、ＲＩＥ法、ＣＤＥ法、ウェットエッチング法、ＣＭＰ法等により、埋め込んだ封止膜１１の材料膜の溝８の外側の部分を除去し、封止膜１１に加工する。
【００５７】
（第３の実施の形態の効果）
本発明の第３の実施の形態によれば、犠牲膜１２を土台としてガス透過性膜９を形成するため、ガス透過性膜９の溝８の開口部近傍への埋め込みが容易になる。そのため、被覆性のよくない膜をガス透過性膜９として用いる場合に特に有効である。
【００５８】
また、第１の実施の形態と比較して、溝８内のガス透過性膜９の体積が小さいため、ガス化させた層間犠牲膜２ａ、２ｂの外部への排出がより容易になる。
【００５９】
〔他の実施の形態〕
なお、上記各実施の形態は一実施の形態に過ぎず、本発明はこれらに限定されずに、発明の主旨を逸脱しない範囲内において種々変形実施が可能である。
【００６０】
また、発明の主旨を逸脱しない範囲内において上記各実施の形態の構成要素を任意に組み合わせることができる。
【図面の簡単な説明】
【００６１】
【図１Ａ】（ａ）〜（ｃ）は、本発明の第１の実施の形態に係る半導体装置の製造方法を表す断面図。
【図１Ｂ】（ｄ）、（ｅ）は、本発明の第１の実施の形態に係る半導体装置の製造方法を表す断面図。
【図２】（ａ）〜（ｃ）は、本発明の第２の実施の形態に係る半導体装置の製造方法を示す断面図。
【図３Ａ】（ａ）〜（ｃ）は、本発明の第３の実施の形態に係る半導体装置の製造方法を示す断面図。
【図３Ｂ】（ｄ）、（ｅ）は、本発明の第３の実施の形態に係る半導体装置の製造方法を示す断面図。
【符号の説明】
【００６２】
１ａ、１ｂ  層間絶縁膜、  ２ａ、２ｂ  層間犠牲膜、  ３ａ、３ｂ  キャップ絶縁膜、  ４ａ、４ｂ  拡散防止絶縁膜、  ５ａ、５ｂ  配線、  ８  溝、  ９  ガス透過性膜、  １０ａ、１０ｂ  エアギャップ、  １１  封止膜、  １２  犠牲膜
【図１Ａ】
2010062242.tif 000003
【図１Ｂ】
2010062242.tif 000004
【図２】
2010062242.tif 000005
【図３Ａ】
2010062242.tif 000006
【図３Ｂ】
2010062242.tif 000007